(57)【要約】      （修正有）【課題】ワサビやからし等を充填したチューブ等の細長い貯蔵品を立てて収容した状態で安定して保持することができる冷蔵庫を提供する。【解決手段】冷蔵庫は、冷蔵室のような貯蔵室に面する扉の内側面８Ｄに配置されて、貯蔵品を収容するための収容部としてのポケット４０を備える。このポケット４０は、扉の内側面８Ｄとの間に収容空間Ｔを形成するための手前側の壁部４１と、収容空間Ｔを左右側に区画するための区画部５５とを備える。手前側の壁部４１が、扉の内側から見て上下方向に沿った段差部５０を有していて、区画部５５が段差部５０の位置に合わせて配置されていることにより、収容空間Ｔは、第１収容空間部分Ｔ１と、第１収容空間部分Ｔ１よりも奥行長さＶ２が短い第２収容空間部分Ｔ２とに区画されている。【選択図】図３
2019132437.tif 000002
【特許請求の範囲】
【請求項１】
貯蔵室を有する本体と、
前記本体の前記貯蔵室の前面開口部を開閉する扉と、
前記扉の内側に配置されて、貯蔵品を収容するための収容部と
を備え、
前記収容部は、
前記扉の内側面との間に収容空間を形成するための手前側の壁部と、
前記収容空間を左右側に区画するための区画部と
を備え、
前記手前側の壁部が前記区画部に合わせた位置に段差部を有していて、
前記収容空間は、第１収容空間部分と、前記第１収容空間部分よりも奥行長さが短い第２収容空間部分とに区画されている冷蔵庫。
【請求項２】
前記手前側の壁部のうち前記第１収容空間部分を形成する第１壁部分は、下部から上部にかけて、手前側へ徐々に張り出すように傾斜している請求項１に記載の冷蔵庫。
【請求項３】
前記第１収容空間部分を形成する底部は、前記第１壁部分から、前記第１壁部分に対向して前記収容部を構成する奥側の壁部にかけて徐々に上昇している請求項２に記載の冷蔵庫。
【請求項４】
前記第１収容空間部分の幅寸法が２５〜１３０ｍｍの範囲であり、
前記第１収容空間部分の奥行寸法が２５〜１３０ｍｍの範囲であり、
前記第１収容空間部分の高さ寸法が、６０〜１２０ｍｍの範囲である請求項２または３に記載の冷蔵庫。
【請求項５】
調味料が充填されたチューブが前記第１収容空間部分に立て掛けられた状態で保持可能であることを特徴とする請求項４に記載の冷蔵庫。
【請求項６】
前記第１壁部分の上辺には切欠部が形成されている請求項２〜５のいずれか１項に記載の冷蔵庫。
【請求項７】
前記第１収容空間部分は、前記扉の取り付け位置に比べて前記扉の開閉を行う取っ手部側に近い位置に配置されている請求項２〜６のいずれか１項に記載の冷蔵庫。
【請求項８】
前記第２収容空間部分を形成する底部の高さ位置は、前記第１収容空間部分を形成する底部の位置に比べて高くなっている請求項２〜７のいずれか１項に記載の冷蔵庫。
【請求項９】
前記第１壁部分が水平面に対して傾斜している傾斜角度は、前記手前側の壁部のうち前記第２収容空間部分を形成する第２壁部分が水平面に対して傾斜している傾斜角度に比べて小さく設定されている請求項８に記載の冷蔵庫。
【発明の詳細な説明】
【技術分野】
【０００１】
本発明の実施の形態は、冷蔵庫に関する。
【背景技術】
【０００２】
冷蔵庫の扉の内側面には、ペットボトルや牛乳等の紙パック容器、缶、小瓶、卵等を収容するポケットが設置されている。ペットボトルや牛乳等の紙パック容器、缶、小瓶は、このポケットにおいて、立てた状態で収容してその立てた状態の姿勢を維持する。
【０００３】
しかし、例えばワサビやからし等が充填されたチューブ等の貯蔵品は、細長い形状であるので不安定であり、立てたとしても扉の開け閉めにより、ポケット内で倒れてしまう。このようなチューブがポケット内で倒れると、ポケットの収容深さに対してチューブの横たわる位置が低いので、使用者はポケット内のチューブを識別しにくく、取出しにくい。
【０００４】
チューブをポケット内で立てて収容するためには、チューブ立て用のチューブスタンドを別途購入して、チューブスタンドを扉の内側に後付けで取り付けることができるが、別途チューブスタンドの購入費用が発生する。
【０００５】
そこで、チューブが、整然と収容できる冷蔵庫が開示されている。例えば、扉の内側面には、貯蔵品を収容するための複数のポケットとして、中物品用ポケットと小物品用ポケットとが設けられている。中物品用ポケットは、例えば主として鶏卵を収容しており、小物品用ポケットは、例えば、小物のチューブがこの小物品用ポケットに立てて収容するようになっている。
【先行技術文献】
【特許文献】
【０００６】
【特許文献１】特開２００７−１４７２０２号
【発明の概要】
【発明が解決しようとする課題】
【０００７】
しかし、使用者が冷蔵庫の扉を開け閉めすることで、小物品用ポケット自体が中物品用ポケットから脱落したり、チューブが小物品用ポケット内で転倒するおそれがある。このため、小物品用ポケットは、チューブ等の細長い貯蔵品を安定して収容することができない。
【０００８】
本発明は、上記に鑑みてなされたもので、ワサビやからし等を充填したチューブ等の細長い貯蔵品を立てて収容した状態で安定して保持することができる冷蔵庫を提供することを課題とする。
【課題を解決するための手段】
【０００９】
実施の形態の冷蔵庫は、貯蔵室を有する本体と、前記本体の前記貯蔵室の前面開口部を開閉する扉と、前記扉の内側に配置されて、貯蔵品を収容するための収容部とを備え、前記収容部は、前記扉の内側面との間に収容空間を形成するための手前側の壁部と、前記収容空間を左右側に区画するための区画部とを備え、前記手前側の壁部が前記区画部に合わせた位置に段差部を有していて、前記収容空間は、第１収容空間部分と、前記第１収容空間部分よりも奥行長さが短い第２収容空間部分とに区画されている。
【図面の簡単な説明】
【００１０】
【図１】第１実施形態に係わる冷蔵庫の全体を示す正面図である。
【図２】第１実施形態で、冷蔵庫の右側の扉を、ヒンジ部を介して開いた状態を示す斜視図である。
【図３】第１実施形態で、収容部としてのポケットを示す斜視図である。
【図４】第１実施形態で、図３のＧ−Ｇ線において切断した斜視図である。
【図５】第２実施形態で、収容部としてのポケットを示す斜視図である。
【図６】第２実施形態の要部を断面で示す側面から見た説明図である。
【図７】第２実施形態で、扉の内側面側のポケットに貯蔵品を収容している例を説明する斜視図である。
【図８】第２実施形態で、ポケットを、図７のI方向から見た側面図である。
【図９】第２実施形態の一例（実施例１）で、ポケットを断面で示した側面部分断面図である。
【図１０】図９に対応して示す比較例１の側面部分断面図である。
【図１１】第２実施形態の一例（実施例２）で、ポケットを断面で示した側面部分断面図である。
【図１２】図１１に対応して示す比較例２の側面部分断面図である。
【図１３】第２実施形態の一例（実施例３）で、ポケットを断面で示した側面部分断面図である。
【図１４】図１３で、ポケットにチューブＣを収容した側面部分断面図である。
【図１５】図１４に対応して示す比較例３の側面部分断面図である。
【図１６】第２実施形態の一例（実施例３）で、ポケットを断面で示した側面部分断面図である。
【発明を実施するための形態】
【００１１】
以下、図面を用いて、実施するための形態（以下、実施形態と称する）を説明する。
【００１２】
（第１実施形態）
図１は、第１実施形態に係わる冷蔵庫の全体を示す正面図である。
【００１３】
図１に示す冷蔵庫１は、本体１Ａを有している。この冷蔵庫１の本体１Ａは、断熱性を有するキャビネットにより構成されていて、内部に複数の貯蔵室が形成されている。貯蔵室としては、上から順に冷蔵室２、野菜室３が設けられ、この野菜室３の下には製氷室４と小冷凍室５が左右に並べて設けられ、最下部に主冷凍室６とが設けられている。
【００１４】
このうち、上部の冷蔵室２と野菜室３は、冷蔵温度帯の貯蔵室であり、約３℃から５℃の温度に調整される。また、製氷室４と小冷凍室５と主冷凍室６とは、冷凍温度帯の貯蔵室であり、約−２０℃前後の温度に調整される。
【００１５】
本体１Ａには、図示しないが、冷蔵温度帯の貯蔵室を冷却するための冷蔵用冷却器と、冷凍温度帯の貯蔵室を冷却するための冷凍用冷却器とを含む冷凍サイクルが設けられている。
【００１６】
図１に示す本体１Ａの冷蔵室２の前面には、冷蔵室２の前面開口部を開閉する左右の扉７、８が設けられている。左右の扉７、８は、観音開き扉であり、使用者から向かって左側の扉７の左端部が、ヒンジ部７Ｂにより本体１Ａに回動可能に取り付けられている。同様にして、使用者から向かって右側の扉８の右端部が、ヒンジ部８Ｂにより本体１Ａに回動可能に取り付けられている。
【００１７】
図１に示す野菜室３、製氷室４、小冷凍室５、主冷凍室６の各前面には、各前面開口部を開閉する引出しの扉９、１０、１１、１２が、それぞれ設けられている。
【００１８】
例えば、好ましくは、左右の扉７、８と引出しの扉９、１０、１１、１２の各前面には、前面側の外観上の見栄えを良くするために、透光性を有するガラス板である前面板７Ａ、８Ａ、９Ａ、１０Ａ、１１Ａ、１２Ａが配置されている。左右の扉７、８と、引出しの扉９、１０、１１、１２は、内部に断熱材を設けることで断熱性を有している。
【００１９】
図２は、図１に示す冷蔵庫１の右側の扉８を、ヒンジ部８Ｂを中心にして開いて、前面開口部２Ｐを開放した状態を示す斜視図である。
【００２０】
図２では、右側の扉８の内側面８Ｄにおける貯蔵品の収容構造例を例示している。なお、左側の扉７の内側面における貯蔵品の収容構造は、右側の扉８の内側面８Ｄにおける貯蔵品の収容構造例と、同様にして構成することもできる。
【００２１】
図２に示すように、右側の扉８の内側面８Ｄには、収容部（収容容器ともいう）としてのポケット２０、２１、３０、３１、４０が配置されている。各ポケットは、右側の扉８の内側面８Ｄにおいて、好ましくは取り外しができるように、着脱可能に取り付けられている。このように、各ポケット２０、２１、３０、３１、４０が、右側の扉８の内側面８Ｄにおいて、着脱可能に取り付けられていることで、各ポケットを取り外して洗浄することが容易に行える。
【００２２】
また、各ポケットは、必要に応じて取り外しておくこともできるが、各ポケット２０、２１、３０、３１、４０の少なくとも１つは、右側の扉８の内側面８Ｄにおいて、固定されている構造であっても良い。
【００２３】
各ポケット２０、２１、３０、３１、４０は、例えば硬質プラスチックにより作られており、透明、半透明あるいは不透明のプラスチック製の容器である。なお、各ポケットは、収容する貯蔵品を使用者が目視で確認し易くするためには、透明あるいは半透明であることが好ましい。
【００２４】
図２に示すように、最上段に位置されるポケット２０は、右側の扉８の内側面８Ｄにおいて、ヒンジ部８Ｂ寄りの回転軸ＣＬ側の位置から内側面８Ｄの中間位置まで、水平方向に沿って配置されている。
【００２５】
ポケット２１は、右側の扉８の内側面８Ｄにおいて、ポケット２０の高さ位置よりもやや下の高さ位置であって、内側面８Ｄの中間位置から右側の扉８の取っ手部８Ｃ寄りの位置にまで水平方向に沿って配置されている。
【００２６】
ポケット２０は、貯蔵品としての例えば複数個の小さめの缶ビール等の缶Ｍ等を、立てた姿勢で並べて収容できる。ポケット２１は、貯蔵品としての例えば複数個のやや大型の缶ビール等の缶Ｎ等を、立てた姿勢で並べて収容できる。
【００２７】
ポケット３０は、右側の扉８の内側面８Ｄの中段位置において、ヒンジ部８Ｂ寄りの回転軸ＣＬ側の位置から、取っ手部８Ｃ寄りの位置に至るまで、水平方向に沿って配置されている。すなわち、ポケット３０は、右側の扉８の内側面８Ｄのほぼ全幅に渡って水平に配置されている。このポケット３０は、貯蔵品としての例えば卵Ｐや、大型の牛乳パックＱ、あるいは缶ビール等の缶Ｍ等を収容できる。
【００２８】
ポケット３１は、右側の扉８の内側面８Ｄの最下段位置において、ヒンジ部８Ｂ寄りの回転軸ＣＬ側の位置から、取っ手部８Ｃ寄りの位置に至るまで、水平方向に沿って配置されている。すなわち、ポケット３１は、右側の扉８の内側面８Ｄのほぼ全幅に渡って水平に配置されている。このポケット３１は、貯蔵品としての例えば大型の２リットルのペットボトルＲや、やや小型のペットボトルＳ、あるいは缶ビール等の缶Ｎ等を収容できる。
【００２９】
ポケット４０は、ポケット３０とポケット３１の中間位置において、右側の扉８の内側面８Ｄにおいて配置されている。このポケット４０は、好ましくは右側の扉８の内側面８Ｄにおいて、ヒンジ部８Ｂ寄りの回転軸ＣＬ側の位置から、取っ手部８Ｃ寄りの位置に至るまで、水平方向に沿って配置されている。すなわち、ポケット４０は、好ましくは右側の扉８の内側面８Ｄのほぼ全幅に渡って水平に配置されている。
【００３０】
（ポケット４０の詳細）
図３は、図２に示したポケット４０の好ましい構造例を示す斜視図である。
【００３１】
ポケット４０は、上述したように、例えば硬質プラスチックにより作られており、透明、半透明あるいは不透明のプラスチック製の容器であるが、収容した貯蔵品を目視で確認し易くするために、透明あるいは半透明であることが好ましい。
【００３２】
図２に示すように、ポケット４０は、扉８の内側面８Ｄに対して着脱可能に取り付けられている。これにより、ポケット４０は、必要に応じて取り外して、洗浄することができる。あるいは、使用者が、ポケット４０を使用しない場合には、ポケット４０を扉８の内側面８Ｄから取り外しておくこともできる。
【００３３】
ポケット４０は、手前側の壁部４１と、奥側の壁部４２と、第１側部４３と、第２側部４４と、底部４５、４６とを有している。これらの手前側の壁部４１と、奥側の壁部４２と、第１側部４３と、第２側部４４と、底部４５、４６とは、貯蔵品を収容するための収容空間Ｔを形成している。
【００３４】
手前側の壁部４１と奥側の壁部４２とは、間隔をおいて、Ｘ方向にほぼ平行になるように形成されている。第１側部４３および第２側部４４は、Ｙ方向に沿ってほぼ平行になるように形成されている。ここで、Ｘ方向は、扉８の内側面８Ｄの幅方向であり、Ｙ方向は、扉８の内側面８Ｄにおいて奥行方向であり、Ｚ方向は、扉８の内側面８Ｄにおいて垂直方向である。Ｘ方向とＹ方向からなるＸ−Ｙ平面は、冷蔵庫１における水平面である。
【００３５】
手前側の壁部４１は、扉８の内側面８Ｄから離れた位置にあり、使用者から見て、Ｙ方向に関して手前側の壁部である。奥側の壁部４２は、扉８の内側面８Ｄに接するか近い位置にあり、使用者からみて、Ｙ方向に関して奥側の壁部である。
【００３６】
図４は、図３に示すポケット４０を、Ｇ−Ｇ線において切断した斜視図である。図３と図４に示すように、ポケット４０の手前側の壁部４１の途中の位置には、扉８の内側から見て上下方向に沿った段差部５０が形成されている。段差部５０の形成位置は、図２に示すように、ヒンジ部８Ｂ寄りの回転軸ＣＬ寄りの位置ではなく、取っ手部８Ｃ寄り側の位置に形成されている。
【００３７】
この段差部５０が形成されていることで、手前側の壁部４１は、第１壁部分４１Ｒと第２壁部分４１Ｌとに区分けされている。第１壁部分４１Ｒは、第２壁部分４１Ｌに比べて、Ｙ方向に関して、突出部分４１Ｈだけ手前側に突出して形成されている。
【００３８】
ポケット４０は、収容空間Ｔを複数の第１収容空間部分Ｔ１、第２収容空間部分Ｔ２に区画するための区画部５５を有する。図示例では、区画部５５は、収容空間Ｔを２つに区画して、第１収容空間部分Ｔ１と第２収容空間部分Ｔ２を左右側に形成している。上記の段差部５０は、この区画部５５に対応した位置に設けられている。
【００３９】
区画部５５は、好ましくは段差部５０の位置において、第１壁部分４１Ｒの内側面（内壁面）から奥側の壁部４２の内側面（内壁面）まで形成され、区画部５５は、Ｙ−Ｚ平面に沿って配置されている。すなわち、区画部５５は、段差部５０の位置から奥側の壁部４２までに延びることで、ポケット４０の収容空間Ｔを、第１収容空間部分Ｔ１と第２収容空間部分Ｔ２に区分している。これにより、使用者が扉８を開け閉めしても、第１収容空間部分Ｔ１に収容された貯蔵品と、第２収容空間部分Ｔ２に収容された貯蔵品が、混じることはない。
【００４０】
図３に示すように、第１収容空間部分Ｔ１は、第１壁部分４１Ｒと、第１側部４３と、奥側の壁部４２と、底部４５と、区画部５５とにより形成されている。同様にして、第２収容空間部分Ｔ２は、第２壁部分４１Ｌと、第２側部４４と、奥側の壁部４２と、底部４６と、区画部５５とにより形成されている。
【００４１】
図３と図４に示すように、段差部５０は、突出部分４１Ｈだけ手前側に突出して形成されている。このため、第１収容空間部分Ｔ１の区画部５５に沿った方向の奥行長さ（奥行寸法ともいう、Ｙ方向の長さ）Ｖ１が、第２収容空間部分Ｔ２の区画部５５に沿った方向の奥行長さ（奥行寸法ともいう、Ｙ方向の長さ）Ｖ２に比べて、大きくなるように設定されている。
【００４２】
図３に示すように、第１壁部分４１Ｒは、第１収容空間部分Ｔ１を形成する扉８の内側面８Ｄから離れた壁部である。この第１壁部分４１Ｒは、下部から上部にかけて徐々に手前側へ張り出すように傾斜されている張出壁部である。すなわち、図４に示すように、第１壁部分４１Ｒは、Ｘ−Ｙ平面である水平面に対して、下部から上部にかけて、傾斜角度αだけ傾斜されている。
【００４３】
また、図４に示すように、第１収容空間部分Ｔ１の底部４５は、第１壁部分４１Ｒから奥側の壁部４２へかけて徐々に上昇している。すなわち、図４に示すように、底部４５は、Ｘ−Ｙ平面である水平面に対して、第１壁部分４１Ｒから奥側の壁部４２へかけて、傾斜角度θだけ傾斜されている。
【００４４】
このように、第１収容空間部分Ｔ１は、傾斜角度α、傾斜角度θで傾斜された空間部分として形成されている。従って、図４に例示するように、例えばワサビやからし等のチューブＣ等の細長い貯蔵品を、第１収容空間部分Ｔ１内に収容すると、このチューブＣのキャップＫが底部４５に置かれ、チューブＣの先端部は、第１壁部分４１Ｒから上方に突出される。しかもチューブＣは、第１壁部分４１Ｒの内側面に寄り掛かって立てた状態で収容することができる。
【００４５】
これにより、チューブＣは、その自重により前傾状態で、使用者側寄りに、第１収容空間部分Ｔ１内に保持されることになり、チューブＣが第１収容空間部分Ｔ１内で転倒してしまうこと十分に回避される。このため、使用者は、前傾した状態で保持されたチューブＣを、第１収容空間部分Ｔ１から簡単に取ったり、第１収容空間部分Ｔ１内に入れることができる。
【００４６】
図２に示すように、好ましい例としては、第１収容空間部分Ｔ１は、扉８の取っ手部８Ｃ側寄りの位置に設けられ、第２収容空間部分Ｔ２は、扉８の回転軸ＣＬ側寄りの位置に設けられている。
【００４７】
これにより、図２に例示するように扉８を全開した状態でも、扉８を少し開けた状態でも、使用者は、取っ手部８Ｃ寄りの位置で、前傾した状態で保持されたチューブＣを、第１収容空間部分Ｔ１から簡単に取ることができる。また、使用者は、第１収容空間部分Ｔ１内に簡単に入れることができる。
【００４８】
図３と図４に示すように、第２収容空間部分Ｔ２を構成する底部４６の位置は、第１収容空間部分Ｔ１を構成する底部４５の位置に比べて、高さ位置（Ｚ方向位置）が高くなっている。すなわち、第１収容空間部分Ｔ１の深さは、第２収容空間部分Ｔ２の深さに比べて、大きく設定されている。
【００４９】
これにより、第１収容空間部分Ｔ１は、例えば１４０ｍｍ程度の全長と例えば２５ｍｍ未満程度の幅とを有するチューブＣを立てた状態で収容して、チューブＣが転倒するのを防いで立てた姿勢で保持できる。
【００５０】
しかも、区画部５５が設けられていることで、使用者が扉８を開け閉めしても、チューブＣが、第１収容空間部分Ｔ１から第２収容空間部分Ｔ２側に倒れ込むことを防ぐことができる。
【００５１】
また、第２収容空間部分Ｔ２は、例えばジャム等の背の低い小瓶や醤油やワサビ等の小さく薄いパック類を収容することができる。第２収容空間部分Ｔ２の底部４６は浅いので、背の低い小瓶や醤油やワサビ等の小さく薄いパック類を収容しても、第２収容空間部分Ｔ２に収容されているパック類等は、簡単に目視できることから、確認し易くしかも取出し易い。
【００５２】
また、ポケット４０を構成する第１側部４３のうち、第１壁部分４１Ｒに連続する第１側部手前側部４３Ａでは、第１側部４３のうち奥側の壁部４２に連続する第１側部奥側部４３Ｂに比べ、少なくとも上端側でポケット４０の側方へ張り出している張出部４３Ｐを有する。これにより、チューブＣ等の細長い貯蔵品を第１収容空間部分Ｔ１内に収容し、扉８を開くと、この貯蔵品に遠心力が作用して貯蔵品が張出部４３Ｐに寄り掛かった状態となる。従って、この貯蔵品（チューブＣ等）を使用者が簡単に取り出すことができる。なお、調味料が充填されているチューブＣの寸法の一例としては、全長が１４２ｍｍ、チューブ本体（蓋以外の部分であって調味料が充填されている部材）のキャップＫ側の径（トップ径）が２２．５ｍｍ、チューブ本体の底部の肉厚が１ｍｍ、キャップＫの頭部側（チューブ先端側）の径が２１ｍｍ、キャップＫの高さ（チューブ長手方向の長さ）が２４ｍｍである。
【００５３】
（寸法例）
次に、第１収容空間部分Ｔ１の寸法例を説明する。図１と図４に例示するように、第１収容空間部分Ｔ１には、例えば全長が１４０ｍｍ程度で、直径が２５ｍｍ未満のチューブＣが立てられた状態（立て掛けられた状態）で収容して保持される場合の例を説明する。
【００５４】
図３に示す第１収容空間部分Ｔ１のＸ方向（扉８の内側面８Ｄに沿った方向）の幅寸法Ｗは、２５〜１３０ｍｍの範囲であり、奥行長さ（Ｙ方向の寸法）Ｖ１は、２５〜１３０ｍｍの範囲である。幅寸法Ｗや奥行長さＶ１が２５ｍｍ以上なので、チューブＣが第１収容空間部分Ｔ１に入らない場合が増えるおそれが十分に抑えられる。また、幅寸法Ｗや奥行長さＶ１が１３０ｍｍ以下なので、チューブＣが第１収容空間部分Ｔ１内で転倒するおそれが十分に抑えられる。
【００５５】
図４に示す第１収容空間部分Ｔ１についての高さ寸法（深さ寸法）Ｆは、６０〜１２０ｍｍの範囲であることが好ましい。これにより、高さ寸法Ｆが６０ｍｍよりも小さいことによってチューブＣが第１収容空間部分Ｔ１から出すおそれを十分に抑えることができ、しかも、１２０ｍｍよりも大きいことによって、チューブＣが第１壁部分４１Ｒから突出する部分が無くて使用者がチューブＣを取り出し難くなるというおそれを十分に抑えることができる。
【００５６】
以上説明したように、第１実施形態の冷蔵庫１は、冷蔵室２のような貯蔵室に面する扉８の内側面８Ｄに配置されて、貯蔵品を収容するための収容部としてのポケット４０を備える。このポケット４０は、扉８の内側面８Ｄとの間に収容空間Ｔを形成するための手前側の壁部４１と、収容空間Ｔを左右側に区画するための区画部５５とを備える。そして、手前側の壁部４１が、区画部５５に合わせられた位置に段差部５０を有していて、収容空間Ｔは、第１収容空間部分Ｔ１と、第１収容空間部分Ｔ１よりも奥行長さが短い第２収容空間部分Ｔ２とに区画されている。
【００５７】
従って、チューブＣ等の細長い貯蔵品を第１収容空間部分Ｔ１に入れると、この貯蔵品は、第２収容空間部分Ｔ２に移動することを区画部５５によって防止され、しかも、段差部５０により、第２収容空間部分Ｔ２に収容された貯蔵品よりも手前側に張り出した状態で上方に突出し易い。このことは、使用者が扉８の開閉時に貯蔵品に作用する慣性力によって更に顕著になる。
【００５８】
従って、第１収容空間部分Ｔ１にチューブＣ等の細長い貯蔵品を立てて収容した状態で安定して保持することができ、使用者は、前傾した状態で保持されたチューブＣを第１収容空間部分Ｔ１から簡単に取り出すことができる。また使用者は、扉８を開けた状態で、チューブＣ等の長細い貯蔵品の種類の識別や出し入れが容易である。
【００５９】
また、区画部５５が第１収容空間部分Ｔ１と第２収容空間部分Ｔ２を区分しているので、使用者が扉８を開け閉めしても、細長いチューブＣが、一本であっても複数本であっても誤って第１収容空間部分Ｔ１側から第２収容空間部分Ｔ２側に倒れることがない。
【００６０】
また、従来必要であったチューブＣ等の長細い貯蔵品が倒れないように保持するための後付け品を別途用意する必要がなく、余計な費用が発生しない。
【００６１】
また、手前側の壁部４１のうち第１収容空間部分Ｔ１を形成する第１壁部分４１Ｒは、下部から上部にかけて、手前側へ徐々に張り出すように傾斜している（傾斜角度α）。これにより、チューブＣが前傾した状態でより保持され易くなる。
【００６２】
また、底部４５は、第１壁部分４１Ｒから奥側の壁部４２へかけて徐々に上昇している（傾斜角度θ）。よって、チューブＣは、その自重により手前側へ倒れ気味な状態で第１収容空間部分Ｔ１内に保持されることになり、チューブＣが第１壁部分４１Ｒに当たって安定した状態で保持され易い。そして、使用者が指でチューブＣ等の貯蔵品を容易に出し入れすることが更に行い易くなり、ポケット４０の使用勝手が向上する。
【００６３】
また、第１収容空間部分Ｔ１の幅寸法Ｗが２５〜１３０ｍｍの範囲であり、第１収容空間部分Ｔ１の奥行寸法Ｖ１が２５〜１３０ｍｍの範囲であり、第１収容空間部分Ｔ１の高さ寸法Ｆが、６０〜１２０ｍｍの範囲である。このような寸法範囲であるので、扉８の開閉があっても、第１収容空間部分Ｔ１に入れられたチューブＣ等の細長い貯蔵品が転倒することは十分に回避される。すなわち、チューブＣ等の細長い貯蔵品は、第１収容空間部分Ｔ１において、立てて収容した状態で安定して保持することができ、使用者はチューブＣ等の細長い貯蔵品をポケット４０に容易に入れたり取り出したりすることができる。
【００６４】
また、第１収容空間部分Ｔ１は、扉８の取っ手部８Ｃ側寄りの位置に設けられている。これにより、使用者は、扉８を少しの角度だけ開けた状態でも、使用者は、取っ手部８Ｃ寄りの位置で、すなわち使用者に近い位置で前傾した状態で保持されたチューブＣを、第１収容空間部分Ｔ１から簡単に取り出すことができる。また、使用者は、扉８を少しの角度だけ開けた状態でも、チューブＣを、第１収容空間部分Ｔ１へ簡単に戻して入れることができる。
【００６５】
また、第２収容空間部分Ｔ２の底部４６の位置は、第１収容空間部分Ｔ１の底部４５の位置に比べて、高くなっている。これにより、第１収容空間部分Ｔ１は、第２収容空間部分Ｔ２に比べて深くなっているので、チューブ等の細長い貯蔵品を立てた状態で安定して収容して保持でき、使用者はチューブ等の細長い貯蔵品を視認し易く、出し入れし易い。また、第２収容空間部分Ｔ２は、第１収容空間部分Ｔ１に比べて浅くなっているので、比較的小さい瓶や薄いパック等を収容して保持しても、使用者は小さい瓶や薄いパック等を視認して取出し易い。
【００６６】
また、第１収容空間部分Ｔ１の第１壁部分４１Ｒの水平面（Ｘ−Ｙ平面）に対する傾斜角度αは、第２収容空間部分Ｔ２の第２壁部分４１Ｌの水平面（Ｘ−Ｙ平面）に対する傾斜角度βに比べて、小さく設定されている（α<β。図８参照）。従って、第１壁部分４１Ｒは、第２壁部分４１Ｌに比べて、使用者から見て手前側により傾いている。これにより、第１収容空間部分Ｔ１の間口が、第２収容空間部分Ｔ２の間口に比べて、より広く確保されるので、チューブＣ等の貯蔵品を、第１収容空間部分Ｔ１に出し入れする作業性が向上する。
【００６７】
（第２実施形態）
次に、第２実施形態を説明する。第２実施形態では、第１実施形態の対応する部分と実質的に同じであるものには、適宜に同じ符号を記してその説明を省略する。
【００６８】
図５は、第２実施形態で示すポケット４０の斜視図であり、図６は、第２実施形態の要部を断面で示す側面から見た説明図である。図７は、第２実施形態で、扉の内側面側のポケットに貯蔵品を収容している例を説明する斜視図である。図８は、第２実施形態でポケットを、図７のI方向から見た側面図である。
【００６９】
図５に示すように、張出壁部である第１壁部分４１Ｒの上辺部分には、切欠部６０がＸ方向に沿って形成されている。この切欠部６０は、図６に示すように、チューブＣが第１収容空間部分Ｔ１に立てた姿勢で収容された状態で、使用者が指でこのチューブＣを第１収容空間部分Ｔ１内から矢印Ｈで示すように、スムーズに取出し易くなる。
【００７０】
図５に示す切欠部６０の切り欠き深さ寸法Ｊは、次のようにして設定することができる。すなわち、チューブＣの全長が例えば１４０ｍｍとする。この場合、切欠部６０における第１壁部分４１Ｒの高さＵが、少なくともその１４０ｍｍの半分である７０ｍｍ以上で、最大でも１４０ｍｍの２／３程度の寸法になるようにする。
【００７１】
ポケット４０がこのような切欠部６０を備えていることにより、第１実施形態で奏される効果に加えて以下の効果が奏される。
【００７２】
第１収容空間部分Ｔ１の上部空間が第１実施形態に比べて小さくても、切欠部６０に寄り掛かっているチューブＣ等の長細い貯蔵品を使用者が第１収容空間部分Ｔ１に対して出し入れ可能になるので、扉８の内側面８Ｄにおけるスペースの利用効率が向上する。また、  切欠部６０からこの貯蔵品を使用者が見ることができ（図８参照）、第１収容空間部分Ｔ１に収容された貯蔵品への視認性が向上する。
【００７３】
また、第１壁部分４１Ｒの高さＵが７０ｍｍよりも小さいことによって、扉８の開け閉めの際にチューブＣが切欠部６０から飛び出し易くなるおそれが十分に抑えられる。そして、第１壁部分４１Ｒの高さＵが１４０ｍｍの２／３程度よりも大きいことによって、チューブＣが第１壁部分４１Ｒから突出部分（露出部分）が少なくなって使用者が第１収容空間部分Ｔ１内から取り出しにくくなるおそれが十分に抑えられる。
【００７４】
また、図６に示すように、ポケット３０、４０、３１が配置されていて、ポケット３１には大型のペットボトルＲ等の貯蔵品が収容されている場合には、ポケット４０の上の空きスペース７０が小さくても、チューブＣは、ポケット４０の第１収容空間部分Ｔ１に対して出し入れできる。また、ポケット４０が、ポケット３０、３１の間に配置されることで、ポケット４０の下は、わずかなデッドスペース７１を残すだけで、扉８の内側面８Ｄのスペースを有効利用できる。
【００７５】
なお、図６に示すように、切欠部６０の位置が、前側に大型のペットボトルＲの収容部の奥側の位置であって、しかもこの大型のペットボトルＲの傾斜している肩部分ＲＤに対応する位置にあることが望ましい。これにより、冷蔵室２のスペースを有効に活用できる構成にしつつ、使用者は、第１収容空間部分Ｔ１内に収容されているチューブＣを、前側に収容されているペットボトルＲの存在の影響を受けずに、矢印Ｈ方向に沿って斜め上方向に容易に取り出すことができる。そして使用者は、チューブＣを、前側に収容されているペットボトルＲの存在の影響を受けずに、第１収容空間部分Ｔ１内に容易に戻して収容することができる。
【００７６】
また、第２実施形態では、第１実施形態と同様、図８に示すように、ポケット４０の第１収容空間部分Ｔ１の第１壁部分４１Ｒは、Ｘ−Ｙ平面である水平面に対して、下部から上部にかけて、傾斜角度αで傾斜している。同様に、第２収容空間部分Ｔ２の第２壁部分４１Ｌは、 Ｘ−Ｙ平面である水平面に対して、下部から上部にかけて、傾斜角度βで傾斜している。そして、傾斜角度αは傾斜角度βに比べて小さく、第１壁部分４１Ｒは、第２壁部分４１Ｌに比べて、より手前側に傾けられている。これにより、第１収容空間部分Ｔ１の間口が、第２収容空間部分Ｔ２の間口に比べて、より広く確保されるので、チューブＣ等の貯蔵品を、第１収容空間部分Ｔ１に出し入れする作業性が向上する。そして第２実施形態では、切欠部６０の寸法に応じて傾斜角度αを調整することで、このような作業性を向上させつつ、扉８の開閉時などでチューブＣ等の貯蔵品が第１収容空間部分Ｔ１から不用意に飛び出すことを十分に抑えることが可能である。
【００７７】
また、第２実施形態では、図８に示すように、第１収容空間部分Ｔ１の底部４５は、Ｘ−Ｙ平面である水平面に対して、傾斜角度θで傾斜されて形成されており、第２収容空間部分Ｔ２の底部４６は、Ｘ−Ｙ平面である水平面に対して、傾斜角度εで傾斜されて形成されている。傾斜角度θは、傾斜角度εに比べて大きく設定されている。これにより、図８に例示するように、キャップＫを下向きにしてチューブＣを第１収容空間部分Ｔ１内に収容すると、このチューブＣは第１壁部分４１Ｒの内側面に寄り掛かった状態で収容して保持され易く、しかも、第２収容空間部分Ｔ２内に小瓶等を収容すると、小瓶等は第２壁部分４１Ｌにさほど寄り掛からずに保持される。なお、傾斜角度θが傾斜角度εに比べて大きく設定される構造は、第１実施形態でも適用可能である。
【００７８】
＜実施例１と比較例１との比較検討例＞
図９は、第２実施形態の一例（以下、実施例１という）で、ポケットを断面で示した側面部分断面図である。図１０は、図９に対応して示す比較例１の側面部分断面図である。ポケット３０には、卵Ｐが入っている。図９に示す実施例１では、ポケット４０の第１壁部分４１Ｒの上縁部は、切欠部６０を有する。図１０に示す比較例１でも、ポケット４０の前壁部分は、切欠部６０を有する。
【００７９】
実施例１では、ポケット４０の第１壁部分４１Ｒが前方に傾斜して張り出している。図１０に示す比較例１では、ポケット４０の前の壁部分は実施例１ほど前方に傾斜して張り出してはいない。チューブＣの全長は１４０ｍｍとする。実施例１では、上部に隣接するポケット３０の前下端部と、ポケット４０の前上端部との間の距離ｄ１が１３０ｍｍである。比較例１では、上部に隣接するポケット３０の前下端部と、ポケット４０の前上端部との間の距離ｄ２が１２２ｍｍである。
【００８０】
実施例１では、距離ｄ１とチューブＣとの長さの比は、１３０ｍｍ／１４０ｍｍとなり、９２％となる。比較例１では、距離ｄ２とチューブＣとの長さの比は、１２２ｍｍ／１４０ｍｍとなり、８７％となる。実施例１のように、距離ｄ１とチューブＣとの長さの比が９０％を超えると、チューブＣは、ポケット４０から更に取り出し易くなる。
【００８１】
＜実施例２と比較例２との比較検討例＞
また、図１１は、第２実施形態の一例（以下、実施例２という）で、ポケットを断面で示した側面部分断面図である。図１２は、図１１に対応して示す比較例２の側面部分断面図である。図１１では、ポケット４０は、切欠部６０を有する。図１２では、ポケット４０は、切欠部を備えていない。
【００８２】
実施例２では、ポケット４０の第１壁部分４１Ｒの上縁部には、切欠部６０が設けられている。チューブＣの全長は１４０ｍｍとする。実施例１では、ポケット３０の前下端部と、ポケット４０の切欠部６０との高さ差ｅ１は、９９ｍｍである。比較例２では、ポケット３０の前下端部と、ポケット４０の上端部との高さ差ｅ２は、８４ｍｍである。実施例２では、高さ差ｅ１とチューブＣの長さとの比は、９９ｍｍ／１４０ｍｍとなり、７０％となる。比較例２では、高さ差ｅ１とチューブＣの長さとの比は、８４ｍｍ／１４０ｍｍとなり、６０％となる。
【００８３】
チューブＣをポケット４０から取り出し易くする観点上、実施例２では、高さ差ｅ１とチューブＣの長さとの比を６０％よりも大きいことが好ましく、２／３（約６７％）よりも大きいことが更に好ましく、７０％にまで大きいことがより更に好ましい。
【００８４】
＜実施例３と比較例３との比較検討例＞
図１３は、第２実施形態の一例（以下、実施例３という）で、ポケットを断面で示した側面部分断面図である。図１４は、図１３で、ポケット４０にチューブＣを収容した側面部分断面図であり、第１壁部分４１Ｒに対してチューブＣが斜めに傾けて収容されている例を示している。図１５は、図１４に対応して示す比較例３の側面部分断面図であり、切欠部６０を備えておらず、しかもポケット４０の前の壁部分は実施例３ほど前方に傾斜して張り出してはいない。図１３では、実施例３のポケット３０の前後方向の幅が１６０ｍｍであることを示している。図１４では、実施例３のポケット４０のうち、張り出して前方に傾斜している第１壁部分４１Ｒの底面から切欠部６０までの長さが７５ｍｍである。切欠部６０を備えていない図１５に示した比較例では、この壁部分の高さが９０ｍｍである。
【００８５】
図１４に示す実施例３において、第１壁部分４１Ｒは、次のような意図で、張り出して前方に傾斜している。すなわち、図１４に示すように、チューブＣが第１壁部分４１Ｒの内面に沿わせて収容されている状態では、チューブＣの先端部ＣＴの前後方向の位置が、上部のポケット３０の前後方向の幅１６０ｍｍの半分よりも、前方に来るようにする。
【００８６】
例えば、図１４に示す実施例３では、チューブＣの先端部ＣＴの扉内面からの距離ｇ１（水平方向距離）が９２ｍｍである。図１５に示す比較例３では、チューブＣの先端部ＣＴの扉内面からの距離ｇ２が７５ｍｍである。図１４に示す実施例３では、チューブＣの先端部ＣＴの扉内面からの距離ｇ１と、ポケット３０の前後方向の幅１６０ｍｍとの比は、９２ｍｍ／１６０ｍｍで５７％である。図１５に示す比較例３では、チューブＣの先端部ＣＴの扉内面からの距離ｇ２と、ポケット３０の前後方向の幅１６０ｍｍとの比は、７５ｍｍ／１６０ｍｍで４６％である。
【００８７】
チューブＣをポケット４０から取り出し易くする観点上、実施例３では、第１壁部分４１Ｒを張り出して前方に傾斜させる際に、チューブＣの先端部ＣＴと扉内面との間の距離ｇ１とポケット３０の前後方向の幅との比が、４６％よりも大きいことが好ましく、５０％（半分）よりも大きいことが更に好ましく、５７％にまで大きくすることがより更に好ましい。
【００８８】
また、図１４に示すように、実施例３では、ポケット４０の底面から切欠部６０までの距離ｈ１は例えば７５ｍｍであるが、距離ｈ１とチューブＣの長さ１４０ｍｍとの比は、７５ｍｍ／１４０ｍｍで、５３％である。このように、ポケット４０の底面から切欠部６０までの距離ｈ１を、チューブＣの長さの半分以上にすることで、扉の開閉の際にチューブＣが倒れてポケット４０の外に落下してしまうのを防ぐことができる。
【００８９】
図１６は、実施例３で、ポケット４０の底面の奥のコーナ部から切欠部６０にチューブＣがもたれ掛かるようにして収容されている状態の例を示している。ポケット４０の底面の奥のコーナ部（奥の内角部）から、第１壁部分４１Ｒの前上端部まで（切欠部６０の上縁部まで）の距離ｋ１は、８８ｍｍである。この距離ｋ１とチューブＣの長さ１４０ｍｍとの比は、８８ｍｍ／１４０ｍｍであり、６２％である。この６２％は、距離ｋ１の半分以上である。
【００９０】
このため、図１６の実施例３で、チューブＣがポケット４０内で傾いている際の傾斜角度が最大になった場合でも、実施例３では、チューブＣが倒れてポケット４０の外に落下してしまうことを十分に防止することができる。なお、距離ｋ１とチューブＣの長さ１４０ｍｍとの比は、５０％（半分）以上であることが好ましく、６０％以上であることが更に好ましく、６２％にまで大きくすることがより更に好ましい。
【００９１】
以上、実施形態を説明したが、実施形態は、例として提示したものであり、発明の範囲を限定することは意図していない。新規な実施形態は、その他の様々な態様で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。例えば、第１実施形態、第２実施形態、各実施例は、寸法例などで、単独だけでなく幾つか（あるいは全て）組み合わせて実施することもできる。
【００９２】
図１に示す冷蔵庫１の構造は、あくまで一例であり、任意の構造を採用することができる。例えば、図１に示す本体１Ａの冷蔵室２の前面には、冷蔵室２の前面開口部を開閉する左右の扉７、８が設けられている。しかし、これに限らず、本体１Ａの冷蔵室２の前面には、左右の扉７、８に代えて、片開きの扉が設けられるようにしても良い。
【００９３】
図２では、収容部であるポケット４０は、向かって右側の扉８の内側面８Ｄに設置する例を示しているが、これに限らず、収容部であるポケット４０は、図１において向かって左側の扉７の内側面に設置するようにしても良い。
【００９４】
左右の扉７、８と引出しの扉９、１０、１１、１２の各前面には、前面板７Ａ、８Ａ、９Ａ、１０Ａ、１１Ａ、１２Ａが配置されている。このような前面板を配置せずに、左右の扉７、８と引出しの扉９、１０、１１、１２の各前面は、通常用いられている鋼板であっても良い。
【００９５】
収容部としてのポケット４０は、収容空間Ｔを構成する第１収容空間部分Ｔ１と第２収容空間部分Ｔ２は、同じ色であっても良いが、異なる色にすることができる。例えば、第１収容空間部分Ｔ１は、透明で無色のプラスチックであり、第２収容空間部分Ｔ２は、例えば薄い色で着色した透明なプラスチックであっても良い。
【００９６】
このように、第１収容空間部分Ｔ１と第２収容空間部分Ｔ２が、異なる色とすることで、使用者は、チューブＣ等の長細い貯蔵品を立てた状態で保持する際に、チューブＣ等の長細い貯蔵品を収容するための第１収容空間部分Ｔ１を確実に認識することができる。
【００９７】
図１と図２に示すポケット４０では、第１収容空間部分Ｔ１が、扉８の取っ手部８Ｃ側に配置されているが、第１収容空間部分Ｔ１は、ポケット４０の中央部分や、扉８の回転軸ＣＬ側寄りの位置に配置することもできる。
【符号の説明】
【００９８】
１      冷蔵庫
１Ａ    本体
２      冷蔵室（貯蔵室）
７      扉
８      扉
８Ｃ    取っ手部
８Ｄ    内側面
４０    ポケット（収容部）
４１    手前側の壁部
４１Ｒ  第１壁部分
４１Ｌ  第２壁部分
４２    奥側の壁部
４５    底部
４６    底部
５０    段差部
５５    区画部
６０    切欠部
Ｔ      収容空間
Ｔ１    第１収容空間部分
Ｔ２    第２収容空間部分
α      傾斜角度
β      傾斜角度
【図１】
2019132437.tif 000003
【図２】
2019132437.tif 000004
【図３】
2019132437.tif 000005
【図４】
2019132437.tif 000006
【図５】
2019132437.tif 000007
【図６】
2019132437.tif 000008
【図７】
2019132437.tif 000009
【図８】
2019132437.tif 000010
【図９】
2019132437.tif 000011
【図１０】
2019132437.tif 000012
【図１１】
2019132437.tif 000013
【図１２】
2019132437.tif 000014
【図１３】
2019132437.tif 000015
【図１４】
2019132437.tif 000016
【図１５】
2019132437.tif 000017
【図１６】
2019132437.tif 000018